(57)【要約】【課題】矩形状の電気音響変換器を用いる場合に、確実に防水または防塵し、かつ、音声の歪み及び音漏れの双方を同時に防止すること。【解決手段】第１の筐体１０１は、音孔１１０を有する。膜部材１０３は、略円形状であり、音孔１１０と電気音響変換器１０７との間に設けられる。板状部材１０５は、膜部材１０３と電気音響変換器１０７との間に設けられ、第２の音孔１１１を有する。電気音響変換器１０７は、略矩形状であり、音声を発生する。【選択図】図１
2010110001.tif 000002
【特許請求の範囲】
【請求項１】
筐体と、
前記筐体に設けられた第１の音孔と、
前記筐体内に設けられた略矩形状の電気音響変換器と、
前記第１の音孔と前記電気音響変換器との間に設けられた略円形状の膜部材と、
前記膜部材と前記電気音響変換器との間に設けられた板状部材と、
前記板状部材に設けられた第２の音孔と、
を備えた電子機器。
【請求項２】
前記膜部材は、前記電気音響変換器に対する防水のために設けられる請求項１記載の電子機器。
【請求項３】
前記筐体と前記膜部材の間に設けられて前記筐体と前記膜部材の間を密封する第１の密封部材と、
前記膜部材と前記板状部材との間に設けられて前記膜部材と前記板状部材の間を密封する第２の密封部材と、
前記板状部材と前記電気音響変換器との間に設けられて前記板状部材と前記電気音響変換器の間を密封する第３の密封部材とを備えた請求項１または請求項２記載の電子機器。
【請求項４】
前記電気音響機器は、スピーカである請求項１から請求項３のいずれかに記載の電子機器。
【請求項５】
前記板状部材の表面における前記第２の音孔の総面積は、前記筐体の表面における前記第１の音孔の総面積よりも大きい請求項１から請求項４のいずれかに記載の電子機器。
【請求項６】
前記板状部材は、前記筐体と一体に形成される請求項１から請求項５のいずれかに記載の電子機器。
【発明の詳細な説明】
【技術分野】
【０００１】
本発明は、電子機器に関し、例えば筐体内部に設けられる電気音響変換器に対して防水を施す電子機器に関する。
【背景技術】
【０００２】
従来、音響部品の防水を行うための防水膜を設けた電話機が知られている（例えば、特許文献１）。
【０００３】
図６は、従来の電話機等の電子機器１の要部の分解斜視図である。従来の電子機器１は、筐体１０、クッション部材１１、膜部材１２、クッション部材１３及び電気音響変換器１４から主に構成される。
【０００４】
筐体１０は、貫通孔である複数の音孔５０を有する。音孔５０は、電気音響変換器１４から発生した音声を筐体１０の外部に出力する。
【０００５】
クッション部材１１は、筐体１０と膜部材１２の間に設けられ、筐体１０と膜部材１２とを密封する。
【０００６】
膜部材１２は、平面視円形であり、クッション部材１１とクッション部材１３の間に設けられる。膜部材１２は、音孔５０から筐体１０の内部に水等の液体が侵入するのを防止する。
【０００７】
クッション部材１３は、膜部材１２と電気音響変換器１４の間に設けられ、膜部材１２と電気音響変換器１４とを密封する。
【０００８】
電気音響変換器１４は、例えばスピーカである。
【０００９】
また、近年、携帯電話等の携帯端末の小型化により、筐体内部の部品配置の効率化を図るために、矩形状の電気音響変換器が用いられる。
【先行技術文献】
【特許文献】
【００１０】
【特許文献１】特開平８−７９８６５号公報
【発明の概要】
【発明が解決しようとする課題】
【００１１】
しかしながら、矩形状の電気音響変換器の形状に合わせて膜部材を矩形にすると、膜部材の表面における中心部から各辺までの距離が一定でなくなる。このため、電気音響変換器から発生した音声により膜部材が振動する際に、種々の異なる周波数の周波数成分が生じて、筐体の音孔から出力される音声が歪むという問題がある。
【００１２】
一方、従来どおり丸形の膜部材を用いると、膜部材の表面における中心部から外周端までの距離が一定であるため音声の歪みは生じない。しかし、電気音響変換器が矩形状になったにもかかわらず膜部材が丸形のままであると、膜部材と電気音響変換器との間に隙間が出来て音漏れが生じるという問題がある。
【００１３】
本発明はかかる点に鑑みてなされたものであり、矩形状の電気音響変換器を用いる場合に、確実に防水または防塵することができ、かつ、音声の歪み及び音漏れの双方を同時に防止することができる電子機器を提供することを目的とする。
【課題を解決するための手段】
【００１４】
本発明の電子機器は、筐体と、前記筐体に設けられた第１の音孔と、前記筐体内に設けられた略矩形状の電気音響変換器と、前記第１の音孔と前記電気音響変換器との間に設けられた略円形状の膜部材と、前記膜部材と前記電気音響変換器との間に設けられた板状部材と、前記板状部材に設けられた第２の音孔と、を備えた構成を採る。
【発明の効果】
【００１５】
本発明によれば、矩形状の電気音響変換器を用いる場合に、確実に防水または防塵することができ、かつ、音声の歪み及び音漏れの双方を同時に防止することができる。
【図面の簡単な説明】
【００１６】
【図１】本発明の実施の形態に係る電子機器の要部の分解斜視図
【図２】本発明の実施の形態に係る電子機器の断面図
【図３】本発明の実施の形態に係る膜部材、電気音響変換器及び音孔の互いの位置関係を示す平面図
【図４】本発明の実施の形態に係る膜部材、電気音響変換器及び音孔の互いの位置関係を示す平面図
【図５】本発明の実施の形態に係る電子機器の分解斜視図
【図６】従来の電子機器の要部の分解斜視図
【発明を実施するための形態】
【００１７】
以下、本発明の実施の形態について、図面を参照して詳細に説明する。
【００１８】
（実施の形態）
図１は、本発明の実施の形態に係る電子機器１００の要部の分解斜視図である。
【００１９】
電子機器１００は、第１の筐体１０１、クッション部材１０２、膜部材１０３、クッション部材１０４、板状部材１０５、クッション部材１０６及び電気音響変換器１０７から主に構成される。電子機器１００は、例えば携帯電話等の通信端末装置、または携帯用のテレビである。なお、クッション部材１０２、膜部材１０３、クッション部材１０４、板状部材１０５、クッション部材１０６及び電気音響変換器１０７は、第１の筐体１０１とは別体の後述する他の筐体と第１の筐体１０１とにより形成される内部空間に収納される。しかし、図１では第１の筐体１０１の一部のみを記載するとともに、他の筐体の記載は省略する。
【００２０】
第１の筐体１０１は、貫通孔である複数の音孔１１０を有する。
【００２１】
クッション部材１０２は、第１の筐体１０１と膜部材１０３の間に設けられる。また、クッション部材１０２は、上面部と下面部に両面テープ等の接着部を有し、各接着部が第１の筐体１０１及び膜部材１０３と接着することにより、第１の筐体１０１と膜部材１０３の間を密封する。また、クッション部材１０２は、平面視円形であり、中央に円形の貫通孔１１２が設けられる。
【００２２】
膜部材１０３は、平面視略円形状の薄膜状であり、クッション部材１０２とクッション部材１０４の間に設けられる。膜部材１０３は、電気音響変換器１０７から発生した音声を減衰させないで通過させることができる材質で形成されており、例えばＰＴＦＥ等の多孔膜である。また、膜部材１０３は、音孔１１０から侵入する水等の液体または埃がさらに電気音響変換器１０７へ侵入することを阻止する。即ち、膜部材１０３は、防水膜または防塵膜として機能する。ここで、略円形状には、円形状以外に、中心から外縁までの距離が一定に近い多角形形状等が含まれ、要するに音声により振動する際に音声の歪みの原因となる種々の周波数成分を生じない円形状に近い種々の形状が含まれる。
【００２３】
クッション部材１０４は、膜部材１０３と板状部材１０５の間に設けられる。また、クッション部材１０４は、上面部と下面部に両面テープ等の接着部を有し、各接着部が膜部材１０３及び板状部材１０５と接着することにより、膜部材１０３と板状部材１０５の間を密封する。また、クッション部材１０４は、平面視円形であり、中央に円形の貫通孔１１４が設けられる。
【００２４】
板状部材１０５は、薄板状であり、クッション部材１０４とクッション部材１０６の間に設けられる。また、板状部材１０５は、貫通孔である２つの音孔１１１が設けられる。なお、音孔１１１は、２つに限らず、３つ以上または１つでも良い。
【００２５】
クッション部材１０６は、板状部材１０５と電気音響変換器１０７の間に設けられる。また、クッション部材１０６は、上面部と下面部に両面テープ等の接着部を有し、各接着部が板状部材１０５及び電気音響変換器１０７と接着することにより、板状部材１０５と電気音響変換器１０７の間を密封する。また、クッション部材１０６は、平面視矩形状であり、中央に矩形状の貫通孔１１５が設けられる。
【００２６】
電気音響変換器１０７は、平面視略矩形状である。また、電気音響変換器１０７は、例えばスピーカである。ここで、略矩形状には、矩形状以外に、４隅を斜めにカットした８角形形状等が含まれ、要するに筐体内部の部品配置の効率化を図ることができる矩形状に近い種々の形状が含まれる。
【００２７】
図２は、電子機器１００の断面図である。図２に示すように、電気音響変換器１０７、クッション部材１０６、板状部材１０５、クッション部材１０４、膜部材１０３及びクッション部材１０２の順にこれらが積層される。また、音孔１１０は、平面図（図２の上方から下方を見た図）上において、膜部材１０３と電気音響変換器１０７が重なり合う範囲Ｌ内に位置するように第１の筐体１０１に設けられる。同様に、音孔１１１は、平面図上において、膜部材１０３と電気音響変換器１０７が重なり合う範囲Ｌ内に位置するように板状部材１０５に設けられる。さらに、音孔１１０は、平面図上において、音孔１１１と互いに重なり合う位置に設けられる。また、膜部材１０３は、音孔１１０と音孔１１１との間に配置される。しかし、膜部材１０３は、音声を減衰させることなく通過させることができる材質で形成されているため、音孔１１１を通過した音声を減衰させることなく音孔１１０へ導くことができる。
【００２８】
図３は、膜部材１０３、電気音響変換器１０７及び音孔１１０の互いの位置関係を示す平面図である。図３より、音孔１１０は、膜部材１０３及び電気音響変換器１０７の双方と平面図上で重なり合う位置に配置される。
【００２９】
図４は、膜部材１０３、電気音響変換器１０７及び音孔１１１の位置関係を示す平面図である。図４より、音孔１１１は、膜部材１０３及び電気音響変換器１０７の双方と平面図上で重なり合う位置に配置される。
【００３０】
また、板状部材１０５の表面における音孔１１１の総面積が第１の筐体１０１の表面における音孔１１０の総面積よりも大きくなるように、音孔１１０及び音孔１１１が形成される。これにより、音孔１１１を通過した音声は減衰することなく音孔１１０を通過することができる。ここで、音孔１１０の総面積は、音孔１１０の１つの面積に音孔１１０の総数を乗算することにより求めることができる。即ち、図３の場合、音孔１１０の総面積は、（１）式により求めることができる。
【００３１】
音孔１１０の総面積Ｓ１＝（（ｒ１÷２）２×π）×１０        （１）
ただし、ｒ１は音孔１１０の直径
また、音孔１１１の総面積は、音孔１１１の１つの面積に音孔１１１の総数を乗算することにより求めることができる。即ち、図４の場合、音孔１１１の総面積は、（２）式により求めることができる。
【００３２】
音孔１１１の総面積Ｓ２＝（（ｒ２÷２）２×π）×２          （２）
ただし、ｒ２は音孔１１１の直径
これより、Ｓ１≦Ｓ２になるように音孔１１０及び音孔１１１が形成される。なお、この条件を満たせば、音孔１１０及び音孔１１１の形状及び数は、本実施の形態に限定されるものではない。
【００３３】
図５は、電子機器１００の分解斜視図である。電子機器１００は、第１の筐体１０１、中間筐体５０１及び第２の筐体５０２から構成される。
【００３４】
第１の筐体１０１は、断面コ字状であり、音孔１１０を有する。クッション部材１０２、膜部材１０３及びクッション部材１０４は、第１の筐体１０１と中間筐体５０１とによって形成された内部空間に収納される。
【００３５】
中間筐体５０１は、音孔１１１を有する窪んだ板状部材１０５を一体に有する。そして、板状部材１０５を覆うように中間筐体５０１に第１の筐体１０１が取り付けられる。クッション部材１０２及び膜部材１０３は、窪んだ板状部材１０５に配置されて第１の筐体１０１により覆われる。また、中間筐体５０１は、第２の筐体５０２の上面を覆うように第２の筐体５０２に取り付けられる。
【００３６】
第２の筐体５０２は、図示しない電気回路パターンが形成された部品配置部５０３を有する。そして、クッション部材１０６が取り付けられた電気音響変換器１０７が、部品配置部５０３の電気回路パターンと電気的に接続されて部品配置部５０３に取り付けられる。
【００３７】
次に、電子機器１００の組み立て方法について、図１及び図５を用いて説明する。
【００３８】
最初に、電気音響変換器１０７の外部上面部にクッション部材１０６が取り付けられ、電気音響変換器１０７が第２の筐体５０２の部品配置部５０３の電気回路パターンと電気的に接続された状態で部品配置部５０３に配置される。
【００３９】
次に、膜部材１０３が、音孔１１１を塞ぐ位置にクッション部材１０４により板状部材１０５に取り付けられる。
【００４０】
次に、第１の筐体１０１が、中間筐体５０１の板状部材１０５を覆うように中間筐体５０１に取り付けられる。これにより、膜部材１０３は、音孔１１０を塞ぐ位置にクッション部材１０２により第１の筐体１０１に取り付けられる。
【００４１】
次に、中間筐体５０１は、第２の筐体５０２に取り付けられる。これにより、クッション部材１０６が板状部材１０５に取り付けられて電子機器１００が完成する。
【００４２】
以上で、電子機器１００の組み立て方法の説明を終了する。
【００４３】
このような電子機器１００において、電気音響変換器１０７から出力された音声は、クッション部材１０６の貫通孔１１５、音孔１１１及びクッション部材１０４の貫通孔１１４の順に通過して膜部材１０３に到達する。そして、膜部材１０３に到達した音声は、膜部材１０３を通過する。この際、膜部材１０３は、通過する音声によって振動する。この際、膜部材１０３が円形であるため、膜部材１０３を通過する音声が歪むことはない。
【００４４】
次に、膜部材１０３を通過した音声は、クッション部材１０２の貫通孔１１２及び音孔１１０を通過して電子機器１００の外部に出力される。
【００４５】
また、音孔１１０から電子機器１００の内部に侵入した水等の液体または埃等は、クッション部材１０２の貫通孔１１２を通過する。しかし、水等の液体または埃は、膜部材１０３によりそれ以上電子機器１００の内部へ侵入することができない。
【００４６】
このように、本実施の形態によれば、筐体と電気音響変換器との間に、音孔を設けた板状部材を設けるとともに、筐体と板状部材との間に円形の膜部材を設けることにより、矩形状の電気音響変換器を用いる場合に、確実に防水または防塵することができ、かつ、音声の歪み及び音漏れの双方を同時に防止することができる。また、板状部材に設けた音孔の板状部材の表面における総面積を、第１の筐体に設けた音孔の第１の筐体の表面における総面積よりも大きくすることにより、電気音響変換器から生じる音声を減衰させることなく外部に出力することができる。また、本実施の形態によれば、板状部材に複数の音孔を設けることにより、音孔を形成することに伴う板状部材の強度の低下を抑制することができる。
【００４７】
なお、本実施の形態において、電気音響変換器１０７がスピーカである場合について説明した。しかし、本発明はこれに限らず、スピーカ以外のマイクまたはレシーバ等の任意の電気音響変換器に適用することができる。
【００４８】
また、本発明において、板状部材は中間筐体と一体に形成されることとした。しかし、本発明はこれに限らず、板状部材は中間筐体と別体であっても良い。
【００４９】
また、本実施の形態において、クッション部材１０２及びクッション部材１０４により、第１の筐体１０１と膜部材１０３との間、及び膜部材１０３とクッション部材１０４との間を密封した。しかし、本発明ではこれに限らず、膜部材１０３に第１の筐体１０１及び板状部材１０５と接着可能な接着部を設ける一方でクッション部材１０２及びクッション部材１０４を無くしても良い。
【産業上の利用可能性】
【００５０】
本発明は、携帯電話機、ポータブルオーディオ、デジタルカメラ、デジタルビデオカメラ、ノートパソコン、電子辞書、ポータブルゲーム機、ポータブルＴＶ、等の電子機器に利用可能である。
【符号の説明】
【００５１】
１００  電子機器
１０１  第１の筐体
１０２、１０４、１０６  クッション部材
１０３  膜部材
１０５  板状部材
１０７  電気音響変換器
【図１】
2010110001.tif 000003
【図２】
2010110001.tif 000004
【図３】
2010110001.tif 000005
【図４】
2010110001.tif 000006
【図５】
2010110001.tif 000007
【図６】
2010110001.tif 000008